(57)【要約】【目的】点滴用の容器として紙容器を用いた使用便利な点滴装置における輸液容器体の提供。【構成】点滴に用いる輸液を流出すると共に輸液を流導案内するチューブ１の先端に設けた挿通針４５を取付け可能とする針取付体４６を着脱できる合成樹脂製の流出筒口２を設け、更に流出筒口２には外周に合成樹脂製の蓋を螺着する螺壁４を設けると共に内周に指掛けリングを介して引きちぎることができる仕切密閉壁を備えた紙容器７にアセプティック充填包装システムにより薬液を密封封入し点滴装置における輸液容器体で流出筒口２の外周に設けた螺壁４に螺着できる第１内面螺合部８を一方端に設けた透明の第１合成樹脂円筒体９の他方端に針挿通用エラストマー樹脂板体１０を設けて形成した第１輸液流出接続体１１を流出筒口２に着脱する針取付体４６としたことを特徴としている。【選択図】            図１０
2005006923.tif 000002
【特許請求の範囲】
【請求項１】
点滴に用いる輸液を流出すると共に輸液を流導案内するチューブ１の先端に設けた挿通針４５を取付け可能とする針取付体４６を着脱できる合成樹脂製の流出筒口２を設けた紙容器７を形成し、更に紙容器７に設けた合成樹脂製の流出筒口２には外周に合成樹脂製の蓋３を螺着する螺壁４を設けると共に内周に合成樹脂製の指掛けリング５を介して引きちぎることができる円状の切込み溝１９を有した合成樹脂製の仕切密閉壁６を合成樹脂製の流出筒口２に一体的に設け、又更に紙容器７にアセプティック充填包装システムにより輸液を密封封入したことを特徴とする点滴装置における輸液容器体。
【請求項２】
流出筒口２の外周に設けた螺壁４に螺着できる第１内面螺合部８を一方端に設けた透明の第１合成樹脂円筒体９の他方端に針挿通用エラストマー樹脂板体１０を設けて形成した第１輸液流出接続体１１を流出筒口２に着脱する針取付体４６としたことを特徴とする請求項１記載の点滴装置における輸液容器体。
【請求項３】
流出筒口２の外周に設けた螺壁４に螺着できる第２内面螺合部１２を一方端に設けた透明で柔軟な性質を有した第２合成樹脂円筒体１３の他方端に円形状膨出部１４を備えた針挿通用柔軟樹脂板体１５を一体成形して形成した第２輸液流出接続体１６を流出筒口２に着脱する針取付体４６としたことを特徴とする請求項１記載の点滴装置における輸液容器体。
【請求項４】
紙容器７に挿通する空気流入針体１７を備えたことを特徴とする請求項１記載の点滴装置における輸液容器体。
【発明の詳細な説明】
【０００１】
【産業上の利用分野】
この発明は、点滴用の容器として紙容器を用いた使用便利な点滴装置における輸液容器体に関するものである。
【０００２】
【従来の技術】
従来牛乳容器としてアセプティック（無菌）充填包装システムを利用し、殺菌処理を施した牛乳を、蜜閉された充填機内で、紙容器を自動組立てると共に滅菌した紙容器に充填、密封するということは知られている。
【０００３】
又、従来点滴装置における輸液容器体をガラス瓶又は塩化ビニール製フィルム容器としたものは知られている。
【０００４】
【発明が解決しようとする問題点】
ところで、従来より知られている点滴装置における輸液容器体をガラス瓶又は塩化ビニール製フィルム容器としたもので、ガラス瓶としたものは形状がかさ張り廃棄処理に不便であり、又塩化ビニール製フィルム容器としたものは点滴操作に伴う輸液の流出によって小さくなるものであるが、塩化ビニール製フィルム容器はダイオキシンの発生で焼却廃棄することに多大の処理費用を必要として廃棄処理に不便であり、更に使用後のガラス瓶及び塩化ビニール製フィルム容器を輸液容器体として再生することが容易簡単にできないものでガラス及び塩化ビニールである資源が無駄に浪費されて費用がかかり不経済で安価に提供出来ない等の欠点があった。
【０００５】
この発明は上記の問題点を解決したものであり、従来より知られている牛乳容器としてアセプティック（無菌）充填包装システムを利用し、殺菌処理を施した牛乳を、蜜閉された充填機内で、容器を組立てると共に滅菌した容器に充填、密封するという技術を利用したもので紙容器内に点滴用の輸液を充填、密封して点滴用の紙容器として使用するものであり、更に使用後の廃棄処理に際し扁平に潰すことが簡単にできるのでかさ張ることがなく、取扱いが容易であり、又更に紙容器は紙だけて形成されているものではなく、性質を異にする素材層を張合わせて形成されているのであって、張合わせた素材層を分離して回収することが容易に出来るものであって再生して資源の無駄を阻止できるもので使用便利な点滴装置における輸液容器体を得ることを目的としたものである。
【０００６】
【問題点を解決するための手段】
上記の目的を達成するためのこの発明の点滴装置における輸液容器体は、点滴に用いる輸液を流出すると共に輸液を流導案内するチューブ１の先端に設けた挿通針４５を取付け可能とする針取付体４６を着脱できる合成樹脂製の流出筒口２を設けた紙容器７を形成し、更に紙容器７に設けた合成樹脂製の流出筒口２には外周に合成樹脂製の蓋３を螺着する螺壁４を設けると共に内周に合成樹脂製の指掛けリング５を介して引きちぎることができる円状の切込み溝１９を有した合成樹脂製の仕切密閉壁６を合成樹脂製の流出筒口２に一体的に設け、又更に紙容器７にアセプティック充填包装システムにより輸液を密封封入したものである。
【０００７】
又、流出筒口２の外周に設けた螺壁４に螺着できる第１内面螺合部８を一方端に設けた透明の第１合成樹脂円筒体９の他方端に針挿通用エラストマー樹脂板体１０を設けて形成した第１輸液流出接続体１１を流出筒口２に着脱する針取付体４６としたものである。
【０００８】
又、流出筒口２の外周に設けた螺壁４に螺着できる第２内面螺合部１２を一方端に設けた透明で柔軟な性質を有した第２合成樹脂円筒体１３の他方端に円形状膨出部１４を備えた針挿通用柔軟樹脂板体１５を一体成形して形成した第２輸液流出接続体１６を流出筒口２に着脱する針取付体４６としたものである。
【０００９】
又、紙の容器７に挿通する空気流入針体１７を備えたものである。
【００１０】
【実施例】
以下図面についてこの考案の実施例を説明すると、
点滴に用いる輸液１８を流出すると共に輸液１８を流導案内するチューブ１の先端に設けた挿通針４５を取付け可能とする針取付体４６を着脱できる合成樹脂製の流出筒口２を設けた紙容器７を形成し、更に紙容器７に設けた合成樹脂製の流出筒口２には外周に合成樹脂製の蓋３を螺着する螺壁４を設けると共に内周に合成樹脂製の指掛けリング５を介して引きちぎることができる円状の切込み溝１９を下面に有した合成樹脂製の仕切密閉壁６を合成樹脂製の流出筒口２に一体的に設け、又更に紙容器７にアセプティック充填包装システム（図示せず）により輸液１８を密封封入したものであり、且つ紙容器７に取付けた合成樹脂製の流出筒口２はこの合成樹脂製の流出筒口２の下端に一体成形した張出鍔２０を紙容器７に設けた流出口２１の周縁裏面２２に取付けたもので、紙容器７の流出口２１に合成樹脂製の流出筒口２を強固に取付けることができるものである。
【００１１】
なお、アセプティック（無菌）充填包装システムとは従来より知られている技術で殺菌処理を施した食品を、蜜閉された充填機内で、滅菌した包材に充填、密封するというしくみである。
【００１２】
又、紙容器７は紙だけて形成されているものではなく、紙材層４０に性質を異にする素材層を用い収納した輸液の種類により適宜張合わせて形成するのであり、例えば、図１６に図示したものはポリエチレン層４１を張合わせたもので、耐水性、耐衝撃性、熱圧着性に優れるが、酸素や二酸化炭素に対するバリア性に乏しい性質を有する。これに対して図１７に図示したものは銀色にみえるアルミはく４２を紙材層４０とポリエチレン層４１との間に張合わせたもので光を遮り、酸素や二酸化炭素に対するバリア性が高いものである。ただし、張合わせる素材層の種類は図示したものに限定されるものではなく、収納した輸液１８の種類によって異なるものである。
【００１３】
又、紙材層４０に性質を異にする素材層を適宜張合わせて形成した紙容器７は不透明で輸液が見えずに点滴中に流出した輸液の流出量が分からずに不便なこともあるが、紙容器７に図１７に図示したように縦長窓孔５０を設け、紙材層４０に透明ポリエチレン層５１を張合わることで輸液の流出状態を知ることができ、更に縦長窓孔５０の側縁に目盛印５２を設けて流出量を知ることができるものである。
【００１４】
又、合成樹脂製の流出筒口２に取付ける第１実施例の針取付体４６では合成樹脂製の流出筒口２の外周に設けた螺壁４に螺着できる第１内面螺合部８を一方端に設けた透明の第１合成樹脂円筒体９の他方端に針挿通用エラストマー樹脂板体１０を成型して第１輸液流出接続体１１を形成し針取付体４６としたものであり、使用に際しては紙容器７に取付けた合成樹脂製の蓋３を外して合成樹脂製の流出筒口２内に設けた合成樹脂製の指掛けリング５を引張り仕切密閉壁６を円状の切込み溝１９より引きちぎった後に透明の第１合成樹脂円筒体９に設けた第１内面螺合部８を合成樹脂製の流出筒口２の外周に設けた螺壁４に螺合して第１輸液流出接続体１１を紙容器７に取付けて針取付体４６としたものである。そこで第１輸液流出接続体１１を取付けた紙容器７を後記したように紙容器ホルダー２５を介してスタンドホルダー２４に吊り下げるものであり、更に輸液１８を流導案内するチューブ１の先端に設けた挿通針４５を第１輸液流出接続体１１に設けた針挿通用エラストマー樹脂板体１０に挿通して輸液１８を流導案内するチューブ１内に流して点滴操作を始めるものである。
【００１５】
又、合成樹脂製の流出筒口２に取付ける第２実施例の針取付体４６では合成樹脂製の流出筒口２の外周に設けた螺壁４に螺着できる第２内面螺合部１２を一方端に設けた透明で柔軟な性質を有した第２合成樹脂円筒体１３の他方端に円形状膨出部１４を備えた針挿通用柔軟樹脂板体１５を一体成形して第２輸液流出接続体１６を形成すると共に第２合成樹脂円筒体１３より紐掛け穴４２を有した紐掛け環２３を一体成形し針取付体４６としたものであり、使用に際しては紙容器７に取付けた合成樹脂製の蓋３を外して合成樹脂製の流出筒口２内に設けた合成樹脂製の指掛けリング５を引張り仕切密閉壁６を円状の切込み溝１９より引きちぎった後に透明の第２合成樹脂円筒体１３に設けた第２内面螺合部１２を合成樹脂製の流出筒口２の外周に設けた螺壁４に螺合して第２輸液流出接続体１６を紙容器７に取付けて針取付体４６としたものである。そこで第１輸液流出接続体１１を取付けた紙容器７を後記したように紙容器ホルダー２５を介してスタンドホルダー２４に吊り下げるものであり、更に輸液１８を流導案内するチューブ１の先端に設けた挿通針４５を第２輸液流出接続体１６に設けた針挿通用柔軟樹脂板体１５に挿通して輸液１８を流導案内するチューブ１内に流して点滴操作を始めるものである。
【００１６】
又、第２輸液流出接続体１６で針挿通用柔軟樹脂板体１５の挿通針４５を挿通取付ける部分は円形状膨出部１４を備えたのでこの円形状膨出部１４には収縮する力が働いているもので挿通針４５の挿通に伴い図１４に図示した矢印の力が挿通針４５に作用して挿通針４５が円形状膨出部１４より外れにくくしたものであるが、更に第２合成樹脂円筒体１３より紐掛け穴４２を有した紐掛け環２３を一体成形したので紐４７を紐掛け環２３の紐掛け穴４２に挿通して結びつけると共に紐４７の先端に設けた挟持具４８で挿通針４５で挟み、挿通針４５の円形状膨出部１４からの外れをより阻止して安全に使用できるものである。
【００１７】
又、第１輸液流出接続体１１及び第２合成樹脂円筒体１３は図示していないがフィルムで包装してガンマー線で滅菌処理を施したもので使用時に開封するものである。
【００１８】
又、紙容器７に挿通する空気流入針体１７を備えたものであり、空気流入針体１７を図１１に図示したように差込むことによって紙容器７内に空気が流入されて輸液１８の流出を行うことができるものである。
【００１９】
又、空気流入針体１７も図示していないがフィルムで包装してガンマー線で滅菌処理を施したもので使用時に開封するものである。
【００２０】
又、紙容器７は図９に図示したスタンドホルダー２４に紙容器ホルダー２５を介して吊り下げて使用するものであり、紙容器７を挿入する角筒状体２６の下端口２７に針取付体４６が嵌まる切欠半円孔２８，２８を有した紙容器傾斜支持板２９，２９を対設して設けると共に角筒状体２６の上端口３０に対設して折線部３１，３１を設け、一方の折線部３１を介し先端縁３２に近接して挿入長孔３３を設けた上部折込板３４を角筒状体２６に連接し、他方の折線部３１を介し先端部４４に上部折線３５を設けて前記挿入長孔３３に挿入する挿入板片３６を設けた下部折込板３７を角筒状体２６に連接すると共に挿入板片３６の上部に係止孔３８を設けて紙容器ホルダー２５を形成したものであり、更に紙容器ホルダー２５は角筒状体２６の上端口３０に対設して設けた折線部３１，３１及び挿入板片３６を設けた下部折込板３７に備えた上部折線３５を折曲可能として合成樹脂素材板又は厚紙素材板で形成したものである。
【００２１】
よって紙容器７を逆さとして角筒状体２６内に挿入して紙容器７の屋根型面４９，４９を紙容器傾斜支持板２９，２９上に載置し、次に上部折込板３４を折曲げると共に挿入長孔３３に挿入板片３６を挿入して挿入板片３６の上部に係止孔３８にＳ字状係止杆３９の下部を係止孔３８に係止すると共にＳ字状係止杆３９の上部をスタンドホルダー２４に係止して紙容器７を吊り下げるものである。
【００２２】
【発明の作用効果】
この発明は以上のような構成であり、点滴に用いる輸液１８を流出すると共に輸液１８を流導案内するチューブ１の先端に設けた挿通針４５を取付け可能とする針取付体４６を着脱できる合成樹脂製の流出筒口２を設けた紙容器７を形成し、更に紙容器７に設けた合成樹脂製の流出筒口２には外周に合成樹脂製の蓋３を螺着する螺壁４を設けると共に合成樹脂製の内周に指掛けリング５を介して引きちぎることができる合成樹脂製の仕切密閉壁６を合成樹脂製の流出筒口２に一体的に設け、又更に紙容器７にアセプティック充填包装システムにより輸液１８を密封封入したことによって従来より知られている牛乳容器としてアセプティック（無菌）充填包装システムを利用し、殺菌処理を施した牛乳を、蜜閉された充填機内で、容器を組立てると共に滅菌した容器に充填、密封するという技術を利用したもので紙容器７内に点滴用の輸液１８を充填、密封して点滴用の紙容器７として使用するものであり、点滴に用いる輸液１８の充填、密封を無菌状態で確実に行うことができるものであり、更に使用後の廃棄処理に際し紙容器７は扁平に潰すことが簡単にできるのでかさ張ることがなく、取扱いが容易であり、又更に紙容器は紙だけて形成されているものではなく、性質を異にする素材層を張合わせて形成されているのであって、張合わせた素材層を分離して回収することが容易に出来るものであって再生して資源の無駄を阻止できるもので使用便利なものである。
【００２３】
又、合成樹脂製の流出筒口２に取付ける第１実施例の針取付体４６では合成樹脂製の流出筒口２の外周に設けた螺壁４に螺着できる第１内面螺合部８を一方端に設けた透明の第１合成樹脂円筒体９の他方端に針挿通用エラストマー樹脂板体１０を設けて形成した第１輸液流出接続体１１を流出筒口２に螺合により着脱する針取付体４６としたことにより、使用に際しては紙容器７に取付けた合成樹脂製の蓋３を外して合成樹脂製の流出筒口２内に設けた合成樹脂製の指掛けリング５を引張り合成樹脂製の仕切密閉壁６を円状の切込み溝１９より引きちぎった後に透明の第１合成樹脂円筒体９に設けた第１内面螺合部８を合成樹脂製の流出筒口２の外周に設けた螺壁４に螺合して第１輸液流出接続体１１を紙容器７に取付けるものである。そこで第１輸液流出接続体１１を取付けた紙容器７を後記したように紙容器ホルダー２５を介してスタンドホルダー２４に吊り下げるものであり、更に輸液１８を流導案内するチューブ１の先端に設けた挿通針４５を第１輸液流出接続体１１に設けた針挿通用エラストマー樹脂板体１０に挿通して輸液１８を流導案内するチューブ１内に流して点滴操作を始めるものである。
【００２４】
又、合成樹脂製の流出筒口２に取付ける第２実施例の針取付体４６では流出筒口２の外周に設けた螺壁４に螺着できる第２内面螺合部１２を一方端に設けた透明で柔軟な性質を有した第２合成樹脂円筒体１３の他方端に円形状膨出部１４を備えた針挿通用柔軟樹脂板体１５を一体成形して形成した第２輸液流出接続体１６を流出筒口２に螺合により着脱する針取付体４６としたものであり、使用に際しては紙容器７に取付けた合成樹脂製の蓋３を外して合成樹脂製の流出筒口２内に設けた合成樹脂製の指掛けリング５を引張り仕切密閉壁６を円状の切込み溝１９より引きちぎった後に透明の第２合成樹脂円筒体１３に設けた第２内面螺合部１２を合成樹脂製の流出筒口２の外周に設けた螺壁４に螺合して第２輸液流出接続体１６を紙容器７に取付けるものである。そこで第２輸液流出接続体１６を取付けた紙容器７を後記したように紙容器ホルダー２５を介してスタンドホルダー２４に吊り下げるものであり、更に輸液１８を流導案内するチューブ１の先端に設けた挿通針４５を第２輸液流出接続体１６に設けた針挿通用柔軟樹脂板体１５に挿通して輸液１８を流導案内するチューブ１内に流して点滴操作を始めるものである。
【００２５】
又、第２輸液流出接続体１６で針挿通用柔軟樹脂板体１５の挿通針４５を挿通取付ける部分は円形状膨出部１４を備えたのでこの円形状膨出部１４には収縮する力が働いているもので挿通針４５の挿通に伴い図１５に図示した矢印の力が挿通針４５に作用して挿通針４５が円形状膨出部１４より外れにくくしたものであり、挿通針４５の円形状膨出部１４からの外れをより阻止して安全に使用できるものである。
【００２６】
又、紙容器７に挿通する空気流入針体１７を備えたことにより、空気流入針体１７を図１２に図示したように差込むことによって紙容器７内に空気が流入されて輸液１８の流出を行うことができるものである。
【００２７】
以上のようにこの発明は輸液１８を充填し紙容器７に対する挿通針４５を取付け可能とするを着脱は合成樹脂製の流出筒口２の外周に設けた螺壁４に螺合して取付けるので紙容器７に対する針取付体４６が極めて簡単であると共に薬液１８の漏れがなく、更に流出筒口２に取付ける針取付体４６には透明の透明の第１合成樹脂円筒体９又は透明で柔軟な性質を有した第２合成樹脂円筒体１３としたことで点滴中に輸液１８が減ったことを知ることができ、又更に第１実施例の針取付体４６で挿通針４５を刺す部分である針挿通用エラストマー樹脂板体１０はエラストマー樹脂で形成したので弾性を有して刺しやすく、挿通針４５が妄りに離脱するようなことがなく輸液１８が漏れるようなことはなく、又第２実施例の針取付体４６で挿通針４５を刺す部分は円形状膨出部１４を備えたのでこの円形状膨出部１４には収縮する力が働いて挿通針４５が妄りに抜け落ちることななく、且又各医療機関では点滴に使用したガラス瓶又は塩化ビニール製フィルム容器の廃棄処理に多大の費用をかけているものであるが、輸液容器てせある紙容器は焼却処理やリサイクル処理を有効にできるものである。
【００２８】
又構造が簡単で取扱いが極めて容易であり、使用上好都合である等幾多の産業的効果を奏するものである。
【図面の簡単な説明】
【図１】紙容器の斜視図である。
【図２】紙容器の一部拡大側面図である。
【図３】蓋を備えた流出筒口の一部切欠断面図である。
【図４】図３に於ける蓋と仕切密閉壁体を除去した流出筒口の一部切欠断面図である。
【図５】第１実施例の針取付体の縦断面図である。
【図６】流出筒口に第１実施例の針取付体を取付けた状態を示した一部切欠縦断面図である。
【図７】紙容器ホルダー斜視図である。
【図８】紙容器ホルダーで組立てた状態を示した斜視図である。
【図９】スタンドホルダーに吊り下げて使用状態の一部切欠側面図である。
【図１０】流出筒口に第１実施例の針取付体を取付けた使用状態を示した一部切欠縦断面図である。
【図１１】空気流入針体の使用状態を示した一部切欠斜視図である。
【図１２】第２実施例の針取付体の縦断面図である。
【図１３】流出筒口に第２実施例の針取付体を取付けた状態を示した一部切欠縦断面図である。
【図１４】流出筒口に第２実施例の針取付体を取付けた使用状態を示した一部切欠縦断面図である。
【図１５】紙容器に於いて紙材層にポリエチレン層を積層した状態を示した一部切欠断面図である。
【図１６】紙容器に於いて紙材層にアルミはくとポリエチレン層を積層した状態を示した一部切欠断面図である。
【図１７】紙容器で縦長窓孔を設けた状態を示した側面図である。
【符号の説明】
１  チューブ
２  流出筒口
３  蓋
４  螺壁
５  指掛けリング
６  仕切密閉壁
７  紙容器
８  第１内面螺合部
９  第１合成樹脂円筒体
１０  針挿通用エラストマー樹脂板体
１１  第１輸液流出接続体
１２  第２内面螺合部
１３  第２合成樹脂円筒体
１４  円形状膨出部
１５  針挿通用柔軟樹脂板体
１６  第２輸液流出接続体
１７  空気流入針体
１８  輸液
１９  切込み溝
２０  張出鍔
２１  流出口
２２  周縁裏面
２３  紐掛け環
２４  スタンドホルダー
２５  紙容器ホルダー
２６  角筒状体
２７  下端口
２８  切欠半円孔
２９  紙容器傾斜支持板
３０  上端口
３１  折線部
３２  先端縁
３３  挿入長孔
３４  上部折込板
３５  上部折線
３６  挿入板片
３７  下部折込板
３８  係止孔
３９  Ｓ字状係止杆
４０  紙材層
４１  ポリエチレン層
４２  アルミはく
４３  紐掛け穴
４４  先端部
４５  挿通針
４６  針取付体
４７  紐
４８  挟持具
４９  屋根型面
５０  縦長窓孔
５１  透明ポリエチレン層
５２  目盛印
【図１】
2005006923.tif 000003
【図２】
2005006923.tif 000004
【図３】
2005006923.tif 000005
【図４】
2005006923.tif 000006
【図５】
2005006923.tif 000007
【図６】
2005006923.tif 000008
【図７】
2005006923.tif 000009
【図８】
2005006923.tif 000010
【図９】
2005006923.tif 000011
【図１０】
2005006923.tif 000012
【図１１】
2005006923.tif 000013
【図１２】
2005006923.tif 000014
【図１３】
2005006923.tif 000015
【図１４】
2005006923.tif 000016
【図１５】
2005006923.tif 000017
【図１６】
2005006923.tif 000018
【図１７】
2005006923.tif 000019